(57)【特許請求の範囲】
【請求項１】
楽曲データを所定の記録媒体に高速記録する高速記録手段と、
前記高速記録手段が行う記録速度に対応する速度で楽曲データの記録日時を計時する計時手段と、
前記計時手段が計時した記録日時を示す日時情報を一時的に記憶する記憶手段と、
前記記憶手段に記憶された日時情報を、所定のタイミングで前記高速記録手段により記録された楽曲データと対応付けて記録する日時情報記録手段と、
を備えることを特徴とする記録装置。
【請求項２】
楽曲データを所定の記録媒体に、設定された任意の記録速度にて高速記録する高速記録手段と、
前記高速記録手段が高速記録を開始した日時を基準として、前記高速記録手段が行う記録速度に対応する速度で楽曲データの記録日時を計時する計時手段と、
前記計時手段が計時した記録日時を示す日時情報を一時的に記憶する記憶手段と、
前記記憶手段に記憶された日時情報を、前記高速記録手段が高速記録を終えた際に、記録された楽曲データと対応付けて記録する日時情報記録手段と、
を備えることを特徴とする記録装置。
【請求項３】
前記記憶手段は、前記計時手段により計時された各楽曲データの記録日時をそれぞれの日時情報として記憶し、
前記日時情報記録手段は、前記高速記録手段が複数の楽曲データの高速記録を終えた際に、前記記憶手段に記憶された各日時情報を記録されたそれぞれの楽曲データと対応付けて記録する、
ことを特徴とする請求項１又は２に記載の記録装置。
【請求項４】
楽曲データを所定の記録媒体に高速記録する高速記録ステップと、
前記高速記録ステップにて記録される記録速度に対応する速度で楽曲データの記録日時を計時する計時ステップと、
前記計時ステップにて計時された記録日時を示す日時情報を所定の記憶部に一時的に格納する格納ステップと、
前記格納ステップにて記憶部に記憶された日時情報を、所定のタイミングで前記高速記録ステップにて記録された楽曲データと対応付けて記録する日時情報記録ステップと、
を備えることを特徴とする日時情報記録方法。
【請求項５】
楽曲データを所定の記録媒体に高速記録する高速記録ステップと、前記高速記録ステップにて記録される記録速度に対応する速度で楽曲データの記録日時を計時する計時ステップと、前記計時ステップにて計時された記録日時を示す日時情報を所定の記憶部に一時的に格納する格納ステップと、前記格納ステップにて記憶部に記憶された日時情報を、所定のタイミングで前記高速記録ステップにて記録された楽曲データと対応付けて記録する日時情報記録ステップとを有する日時情報記録方法をコンピュータに実行させるためのプログラムを記録したコンピュータ読み取り可能な記録媒体。
【発明の詳細な説明】
【０００１】
【発明の属する技術分野】
この発明は、楽曲データ等と共に日時情報を記録する記録装置に関し、特に、楽曲データ等を高速記録する際に、適切な日時情報を記録することのできる記録装置、日時情報記録方法及び記録媒体に関する。
【０００２】
【従来の技術】
従来からＭＤ（ミニディスク）レコーダ、ＶＴＲ（ビデオテープレコーダ）、及びＤＡＴ（デジタルオーディオテープ）レコーダ等に代表される記録装置が知られている。
これらの記録装置は、楽曲データや画像データを所定の記録媒体に記録する。そして、記録装置は、いわゆる「タイムスタンプ」と呼ばれる機能を備えており、楽曲データ等を記録する際に、その時点の日時情報（タイムスタンプ情報）を記録することができる。
【０００３】
例えば、楽曲データをＭＤに記録するＭＤレコーダは、トラック毎にタイムスタンプ情報を記録することができる。具体的には、ＦＭ放送等で流される生放送番組のエアチェック（楽曲データ等の録音）をした場合に、記録を行った日時がタイムスタンプ情報としてＭＤに記録される。このようにＭＤに記録されたタイムスタンプ情報は、ＭＤの再生時（対象トラックの再生時）に、所定の表示装置等に表示される。
この表示により、楽曲データが記録された日時を特定できるため、タイムスタンプ情報は、ユーザにとって有益な付加情報となっている。
また、タイムスタンプ情報は、単に表示されるだけでなく、ユーザが望む様々な再生に利用される。例えば、タイムスタンプ情報を利用して、記録日時順にトラックを並び替えて再生したり、また、特定の日時（日付等）に記録されたトラックを抽出して連続再生する等である。
【０００４】
以下、このようなタイムスタンプ情報を記録できる従来の記録装置について、具体的に説明する。図１０は、ＣＤ（コンパクトディスク）・ＭＤ一体型の記録装置の一例を示すブロック図である。
図示するように、記録装置は、マイコン１０１と、ＭＤ用ＤＳＰ１０２と、ＭＤ用駆動ユニット１０３と、Ｄ／Ａ１０４と、入力キー１０５と、ディスプレイ１０６と、ＣＤ用ＤＳＰ１０７と、ＣＤ用駆動ユニット１０８と、Ｄ／Ａ１０９と、出力切替ＳＷ１１０とを備えて構成される。
【０００５】
マイコン１０１は、ＳＲＡＭ（スタティックラム）１０１ａ等を備えた処理演算ユニットであり、記録装置全体を制御する。
具体的にマイコン１０１は、ＭＤ用ＤＳＰ１０２を制御することにより、ＭＤ用駆動ユニット１０３によって駆動されるＭＤに楽曲データを記録する。その際、ＭＤのＵＴＯＣ（User Table Of Contents）にタイムスタンプ情報を記録する。
また、マイコン１０１は、ＣＤ用ＤＳＰ１０７を制御することにより、ＣＤ用駆動ユニット１０８によって駆動されるＣＤから楽曲データを再生する。
【０００６】
なお、ＭＤ用ＤＳＰ（デジタルシグナルプロセッサ）１０２は、例えば、内蔵するＤＲＡＭ（ダイナミックラム）に、ＣＤ用ＤＳＰ１０７から供給されたデジタル音声信号を一時的に記憶し、このデジタル音声信号を使用してｎ（ｎは１以上の整数）倍速のＭＤ音声信号のＡＴＲＡＣエンコード処理を行う。ＭＤ用ＤＳＰ１０２は、ＭＤ用駆動ユニット１０３を制御して、エンコード処理により生成した楽曲データをＭＤに記録する。
【０００７】
また、ＣＤ用ＤＳＰ１０７は、ＣＤ用駆動ユニット１０８を制御することにより、ＣＤに記録された楽曲データを再生する。具体的に、ＭＤ用ＤＳＰ１０２は、ｎ（ｎは１以上の整数）倍速のＣＤ音声信号のデコード処理を行い、ＣＤからデジタル音声信号を再生する。ＣＤ用ＤＳＰ１０７は、再生したデジタル音声信号をＭＤ用ＤＳＰ１０２及びＤ／Ａ１０４に供給する。
ＣＤ用駆動ユニット１０８は、ＣＤロードメカ、ピックアップメカ、及びＲＦアンプ等を備える。ＣＤ用駆動ユニット１０８は、ＣＤ用ＤＳＰ１０７に制御され、ＣＤを駆動させ、ＣＤに記録された楽曲データを再生する。
【０００８】
このような構成の記録装置において、マイコン１０１が図示せぬ発振子（クロックジェネレータ）のクロックをタイマ割り込みでカウントすることにより、常に現在の日時情報が更新され用意されている。記録装置は、記録の開始時やトラックの切り替わり時毎に、その瞬間の日時情報が参照され、スタンプ情報としてＳＲＡＭ１０１ａに一旦記憶される。そして、記録終了時やＭＤの排出時に、記録装置は、ＭＤの備えるＵＴＯＣエリアに書き出すことにより、付加情報としてのタイムスタンプ情報を記録する。
【０００９】
このようなタイムスタンプ情報が記録されるＭＤのＵＴＯＣについて、図１１を参照して説明する。図１１は、ＭＤのＵＴＯＣsector2を示す具体的な模式図である。
図示するように、ＵＴＯＣには、各トラック毎に年（下２桁）、月、日、時、分、及び、秒からなるタイムスタンプ情報が記録される。なお、記録される年情報は、西暦の下２桁のみ記録される規格となっている。
このようにＵＴＯＣsector2に記録されるタイムスタンプ情報は、オプション規格であり、全てのＭＤ機器（ＭＤプレーヤ等）において利用可能とされるものではないが、最近では、その利便性ゆえに、据え置き型のＭＤ機器からポータブルのＭＤ機器に至るまでの多くの製品で利用可能なものとなっている。
【００１０】
以下、従来の記録装置の録音動作について図面を参照して具体的に説明する。まず、従来の録音装置が行う録音処理について図１２及び図１３に示すフローチャートを参照して説明する。マイコン１０１は、入力キー１０５を介してＣＤからＭＤへの録音（ダビング等）が指示されると図１２に示す録音処理を実行する。
【００１１】
まず、マイコン１０１は、「ｒｅｃ−ｐａｕｓｅ」状態にて録音動作を一時停止する（ステップＳ１０１）。すなわち、マイコン１０１は、ＣＤ用ＤＳＰ１０７を制御してＣＤの再生動作を一時停止状態とし、また、ＭＤ用ＤＳＰ１０２を制御してＭＤの録音動作を一時停止状態とする。
【００１２】
マイコン１０１は、録音動作の開始を指示する「ｒｅｃキー」が押下されたか否かを判別する（ステップＳ１０２）。「ｒｅｃキー」が押下されていないと判別した場合、マイコン１０１は、動作の終了を指示する「ｓｔｏｐキー」が押下されたか否かを判別する（ステップＳ１０３）。
「ｓｔｏｐキー」が押下されていないと判別すると、マイコン１０１は、ステップＳ１０１に処理を戻す。一方、「ｓｔｏｐキー」が押下されたと判別すると、後述するステップＳ１１０に処理を進める。
【００１３】
また、ステップＳ１０２にて、「ｒｅｃキー」が押下されたと判別すると、マイコン１０１は、現在日時情報（年月日時分秒）を取得し、タイムスタンプ情報としてＳＲＡＭ１０１ａに一旦記憶する（ステップＳ１０４）。なお、この際取得する現在日時情報は、後述する現在日時情報更新処理によって更新されている現在日時を示す情報である。
そして、マイコン１０１は、ＣＤ用ＤＳＰ１０７を制御して一時停止状態であったＣＤの再生動作を開始し、また、ＭＤ用ＤＳＰ１０２を制御して一時停止状態であったＭＤの録音動作を開始させる。
【００１４】
マイコン１０１は、トラック番号更新処理を行う（ステップＳ１０５）。具体的に説明すると、マイコン１０１は、図１３に示すように、入力レベルの変化の有無を検出する（ステップＳ１１１）。すなわち、アナログ音源がソース（録音する対象）の場合に、入力音声（入力信号）のレベル変化を監視し、微少な入力信号が一定期間続いた状態から一定レベル以上の信号入力があったか否かを判別する。
なお、ＣＤからＭＤにデジタル録音する等の様に、デジタル音源がソースの場合、マイコン１０１は、ＣＤのデジタル信号からｔｎｏ（トラック番号）情報やｔｉｍｅ情報を読み取り、これらの情報の変化があったか否かを判別する。
【００１５】
入力レベルの変化があったと判別した場合、マイコン１０１は、後述するステップＳ１１３に処理を進める。一方、入力レベルの変化がなかったと判別した場合、トラックの分割を指示する「ｔｒａｃｋ分割キー」が押下されたか否かを判別する（ステップＳ１１２）。「ｔｒａｃｋ分割キー」が押下されていないと判別した場合、マイコン１０１は、図１２に示す録音処理に処理を戻す。
一方、「ｔｒａｃｋ分割キー」が押下されたと判別した場合、及び、ステップＳ１１１にて入力レベルの変化があったと判別した場合、マイコン１０１は、トラック番号に１を加え、トラック番号を更新する（ステップＳ１１３）。マイコン１０１は、トラック番号の更新後、図１２に示す録音処理に処理を戻す。
【００１６】
図１２に戻って、マイコン１０１は、トラック番号の更新の有無を判別する（ステップＳ１０６）。マイコン１０１は、トラック番号が更新されていないと判別した場合、後述するステップＳ１０８に処理を進める。一方、トラック番号が更新されたと判別した場合、現在日時情報（年月日時分秒）を取得し、タイムスタンプ情報としてＳＲＡＭ１０１ａに一旦記憶する（ステップＳ１０７）。
【００１７】
マイコン１０１は、動作の一時停止を指示する「ｐａｕｓｅキー」が押下されたか否かを判別する（ステップＳ１０８）。マイコン１０１は、「ｐａｕｓｅキー」が押下されたと判別した場合、ステップＳ１０１に処理を戻し、上述のステップＳ１０１〜Ｓ１０８の処理を繰り返し実行する。一方、「ｐａｕｓｅキー」が押下されていないと判別した場合、マイコン１０１は、「ｓｔｏｐキー」が押下されたか否かを判別する（ステップＳ１０９）。
【００１８】
マイコン１０１は、「ｓｔｏｐキー」が押下されていないと判別した場合、上述のステップＳ１０５に処理を戻す。一方、「ｓｔｏｐキー」が押下されたと判別した場合、ＳＲＡＭ１０１ａに記録してあるスタンプ情報をＭＤのＵＴＯＣに記録する（ステップＳ１１０）。
【００１９】
次に、上述の録音処理と並行して行われる現在日時情報更新処理について図１４及び図１５に示すフローチャートを参照して説明する。図１４に示す現在日時情報更新処理は、一定間隔（例えば、１０ｍｓ）毎に発生する割り込み処理により呼ばれ、その都度処理を開始する。
【００２０】
まず、マイコン１０１は、所定のカウント値に１を加算し（ステップＳ２０１）、加算後のカウント値が１００となったか否かを判別する（ステップＳ２０２）。すなわち、マイコン１０１は、１０ｍｓ毎に呼ばれる現在日時情報更新処理にて１００をカウントすることにより、１秒が経過したか否かを判別する。
マイコン１０１は、カウント値が１００でないと判別した場合、そのまま現在日時情報更新処理を終了する。一方、カウント値が１００であると判別した場合、マイコン１０１は、カウント値をゼロクリアした後に、現在秒データが５９であるか否かを判別する（ステップＳ２０３）。
【００２１】
マイコン１０１は、現在秒データが５９でないと判別した場合、現在秒データに１を加算する（ステップＳ２０４）。マイコン１０１は、現在秒データを更新後、処理を終了する。一方、現在秒データが５９であると判別した場合、マイコン１０１は、現在秒データをゼロクリアする（ステップＳ２０５）。
【００２２】
現在秒データをゼロクリアした後に、マイコン１０１は、現在分データが５９であるか否かを判別する（ステップＳ２０６）。マイコン１０１は、現在分データが５９でないと判別した場合、現在分データに１を加算し（ステップＳ２０７）、処理を終了する。一方、現在分データが５９であると判別した場合、マイコン１０１は、現在分データをゼロクリアする（ステップＳ２０８）。
【００２３】
現在分データをゼロクリアした後に、マイコン１０１は、現在時データが２３であるか否かを判別する（ステップＳ２０９）。マイコン１０１は、現在時データが２３でないと判別した場合、現在時データに１を加算し（ステップＳ２１０）、処理を終了する。一方、現在時データが２３であると判別した場合、マイコン１０１は、現在時データをゼロクリアする（ステップＳ２１１）。
【００２４】
現在時データをゼロクリアした後に、マイコン１０１は、現在年月日更新処理を行う（ステップＳ２１２）。
すなわち、図１５に示すように、マイコン１０１は、現在日データが月末であるか否かを判別して（ステップＳ２２１）、月末でない場合に現在日データに１を加算し（ステップＳ２２２）、また、月末である場合に現在日データを１にする（ステップＳ２２３）。
【００２５】
そして、マイコン１０１は、現在日データを１にした後に、現在月データが１２であるか否かを判別して（ステップＳ２２４）、１２でない場合に現在月データに１を加算し（ステップＳ２２５）、また、１２である場合に現在月データを１にする（ステップＳ２２６）。
更に、マイコン１０１は、現在月データを１にした後に、現在年データが９９９９であるか否かを判別して（ステップＳ２２７）、９９９９でない場合に現在年データに１を加算し（ステップＳ２２８）、また、９９９９である場合に現在年データをゼロクリアする（ステップＳ２２９）。
【００２６】
このように上述の現在日時情報更新処理等により常に現在の日時情報が更新され用意されている。一方、上述の録音処理等により、録音開始時やトラックの切り替わり時毎に、その瞬間の現在日時情報が参照され、タイムスタンプ情報としてＳＲＡＭ１０１ａに一旦記憶される。そして、録音終了時に、ＳＲＡＭ１０１ａに記憶されているタイムスタンプ情報がＭＤのＵＴＯＣに記録される。
【００２７】
【発明が解決しようとする課題】
これまで、特にオーディオ装置等において、例えば、ＣＤをソースとしてＭＤに楽曲データを記録する際に等速記録が行われていた。すなわち、オーディオ装置において、ＣＤを通常の速度で再生し、再生された楽曲データをリアルタイムにＭＤにデジタル記録していた。
ところで、従来のアナログのオーディオ装置の一種であるダブルカセットデッキシステムには、２倍速記録機能が備わっているものもあった。この２倍速記録機能とは、再生側のカセットを２倍速で再生し、また、録音側のカセットを２倍速で録音する機能である。このような２倍速記録機能は、その利便性からＣＤ・ＭＤ一体型等の記録装置に代表されるデジタルの記録装置においても、ユーザからその実現が望まれていた。それでも、ＭＤ側のＡＴＲＡＣデーコーダＬＳＩや、周辺デバイスの機能的な制限、そして、デジタル記録装置特有の著作権保護の問題等から、当初の記録装置において２倍速記録機能等が実現されないでいた。
【００２８】
それでも、近年の技術力の向上や、著作権の実務的な整備が進むことにより、こうしたデバイスの制限や著作権の問題等が解決され、記録装置において２倍速記録だけでなく、４倍速や８倍速記録等（以下、「高速記録」という）が実現されるようになった。
更には、ソース源として、ＣＤ等のこれまでの市販メディアだけでなく、ＣＳ放送やインターネット配信による楽曲データ（ＡＴＲＡＣデータ等）をパソコン経由でＭＤ等に記録できるようになっている。その際にも、高速記録が可能となってきている。
【００２９】
しかしながら、このような高速録音を行う際に、適切なタイムスタンプ情報が記されないという問題が生じることとなった。
具体的に、上述の記録装置を一例として説明すると、図１２に示す録音処理において、高速記録が行われていた場合、記録の開始時やトラックの切り替わり時毎に現在日時情報がタイムスタンプ情報としてＳＲＡＭ１０１ａに記録されることとなる（ステップＳ１０４，Ｓ１０７）。この際、ＳＲＡＭ１０１ａに記録されるタイムスタンプ情報は、通常速度の記録（等速記録）が行われた場合と異なる値となる。
【００３０】
例えば、２倍速にて高速記録が行われていた場合、ＳＲＡＭ１０１ａには、図１６（ａ）に示すような２倍速にて計時されたタイムスタンプ情報が記憶される。すなわち、各トラックの記録に要する時間が半分になり、これに伴い、図中の点線ｄ１にて囲んで示すように、ソースの再生時間と比べて明らかに矛盾するタイムスタンプ情報が記憶される。なお、図中「００」にて示される箇所は、未記録のタイムスタンプ情報を示している。
このようなＳＲＡＭ１０１ａに記録されたタイムスタンプ情報は、記録終了時等において、そのまま、ＭＤに記録されるため、図１６（ｂ）に示すように、通常速度で記録した場合と異なるスタンプ情報がＵＴＯＣに記録されてしまう。
このような、適切でないスタンプ情報は、ＭＤを再生する際に、ディスプレイ１０６に表示されることになる。このため、ユーザは、表示されるスタンプ情報に違和感を感じることとなる。
【００３１】
このような問題は、ＭＤに限ったことではなく、例えば、ＤＡＴにおいても、高速録音が行われた場合、同様に適切でないタイムスタンプ情報が記録されることとなる。更に、ＤＡＴにおいては、カウンタ表示（時間表示）が適切でないという新たな問題も生じることとなる。
これは、ＤＡＴの場合、テープ上のプログラムエリア全域に記録時のタイム情報を記録する規格となっており、記録されたタイム情報がカウンタ表示の値として使用されることに起因する。
【００３２】
例えば、２倍速にて楽曲データが高速録音されると、プログラムエリア全域に適切でないタイム情報が記録されるため、通常再生時に、図１７に示すような点線ｄ２に囲まれたカウンタ表示（時間表示）が１／２倍の速さで計時されることになる。すなわち、不自然に遅くカウンタ表示がされてしまうこととなる。
【００３３】
この発明は、上記実状に鑑みてなされたもので、楽曲データ等を高速記録する際に、適切な日時情報を記録することのできる記録装置、日時情報記録方法及び記録媒体を提供することを目的とする。
【００３４】
【課題を解決するための手段】
上記目的を達成するため、本発明の第１の観点に係る記録装置は、
楽曲データを所定の記録媒体に高速記録する高速記録手段と、
前記高速記録手段が行う記録速度に対応する速度で楽曲データの記録日時を計時する計時手段と、
前記計時手段が計時した記録日時を示す日時情報を一時的に記憶する記憶手段と、
前記記憶手段に記憶された日時情報を、所定のタイミングで前記高速記録手段により記録された楽曲データと対応付けて記録する日時情報記録手段と、
を備えることを特徴とする。
【００３５】
この発明によれば、高速記録手段は、例えば、高速再生された楽曲データをディスクに高速記録する。計時手段は、高速記録手段が行う記録速度に対応する速度で楽曲データの記録日時を計時する。記憶手段は、計時手段が計時した記録日時を示す日時情報（タイムスタンプ情報等）を一時的に記憶する。日時情報記録手段は、記憶手段に記憶された日時情報を、例えば、記録終了時に高速記録手段により記録された楽曲データと対応付けてディスクに記録する。この結果、楽曲データ等を高速記録する際に、適切な日時情報を記録することができる。
【００３６】
上記目的を達成するため、本発明の第２の観点に係る記録装置は、
楽曲データを所定の記録媒体に、設定された任意の記録速度にて高速記録する高速記録手段と、
前記高速記録手段が高速記録を開始した日時を基準として、前記高速記録手段が行う記録速度に対応する速度で楽曲データの記録日時を計時する計時手段と、前記計時手段が計時した記録日時を示す日時情報を一時的に記憶する記憶手段と、
前記記憶手段に記憶された日時情報を、前記高速記録手段が高速記録を終えた際に、記録された楽曲データと対応付けて記録する日時情報記録手段と、
を備えることを特徴とする。
【００３７】
この発明によれば、高速記録手段は、例えば、高速再生された楽曲データを所定の記録媒体に、設定された任意の記録速度にて高速記録する。計時手段は、高速記録手段が高速記録を開始した日時を基準として、高速記録手段が行う記録速度に対応する速度で楽曲データの記録日時を計時する。記憶手段は、計時手段が計時した記録日時を示す日時情報（タイムスタンプ情報等）を一時的に記憶する。日時情報記録手段は、記憶手段に記憶された日時情報を、高速記録手段が高速記録を終えた際に、記録された楽曲データと対応付けて記録する。この結果、楽曲データ等を高速記録する際に、適切な日時情報を記録することができる。
【００３８】
前記記憶手段は、前記計時手段により計時された各楽曲データの記録日時をそれぞれの日時情報として記憶し、
前記日時情報記録手段は、前記高速記録手段が複数の楽曲データの高速記録を終えた際に、前記記憶手段に記憶された各日時情報を記録されたそれぞれの楽曲データと対応付けて記録してもよい。
【００４１】
上記目的を達成するため、本発明の第３の観点に係る日時情報記録方法は、
楽曲データを所定の記録媒体に高速記録する高速記録ステップと、
前記高速記録ステップにて記録される記録速度に対応する速度で楽曲データの記録日時を計時する計時ステップと、
前記計時ステップにて計時された記録日時を示す日時情報を所定の記憶部に一時的に格納する格納ステップと、
前記格納ステップにて記憶部に記憶された日時情報を、所定のタイミングで前記高速記録ステップにて記録された楽曲データと対応付けて記録する日時情報記録ステップと、
を備えることを特徴とする。
【００４２】
この発明によれば、高速記録ステップは、例えば、高速再生された楽曲データをディスクに高速記録する。計時ステップは、高速記録ステップにて記録される記録速度に対応する速度で楽曲データの記録日時を計時する。格納ステップは、計時ステップにて計時された記録日時を示す日時情報を所定の記憶部に一時的に格納する。日時情報記録ステップは、格納ステップにて記憶部に記憶された日時情報を、例えば、記録終了時に高速記録ステップにて記録された楽曲データと対応付けて記録する。この結果、楽曲データ等を高速記録する際に、適切な日時情報を記録することができる。
【００４３】
上記目的を達成するため、本発明の第４の観点に係る記録媒体は、
楽曲データを所定の記録媒体に高速記録する高速記録ステップと、前記高速記録ステップにて記録される記録速度に対応する速度で楽曲データの記録日時を計時する計時ステップと、前記計時ステップにて計時された記録日時を示す日時情報を所定の記憶部に一時的に格納する格納ステップと、前記格納ステップにて記憶部に記憶された日時情報を、所定のタイミングで前記高速記録ステップにて記録された楽曲データと対応付けて記録する日時情報記録ステップとを有する日時情報記録方法をコンピュータに実行させるためのプログラムを記録する。
【００４４】
【発明の実施の形態】
本発明の実施の形態にかかる記録装置について、以下図面を参照して説明する。
【００４５】
図１は、ＣＤ（コンパクトディスク）・ＭＤ（ミニディスク）一体型の記録装置の一例を示すブロック図である。図示するように、記録装置１は、マイコン１１と、ＭＤ用ＤＳＰ１２と、ＭＤ用駆動ユニット１３と、Ｄ／Ａ１４と、入力キー１５と、ディスプレイ１６と、ＣＤ用ＤＳＰ１７と、ＣＤ用駆動ユニット１８と、Ｄ／Ａ１９と、Ａ／Ｄ２０と、出力切替ＳＷ２１とを備えて構成される。
【００４６】
マイコン１１は、ＳＲＡＭ（スタティックラム）１１ａ等を備えた処理演算ユニットであり、記録装置１全体を制御する。
具体的にマイコン１１は、ＭＤ用ＤＳＰ１２を制御することにより、ＭＤ用駆動ユニット１３によって駆動されるＭＤに楽曲データを記録する。そして、マイコン１１は、例えば、記録の終了時に、ＭＤのＵＴＯＣ（User Table Of Contents）にタイムスタンプ情報を記録する。
【００４７】
ＳＲＡＭ１１ａには、図２（ａ）に示すような日時情報エリアが確保されており、現在日時情報３１及び記録日時情報３２が記憶される。
この現在日時情報３１は、現在日時（年月日時分秒）を示す情報であり、後述する日時情報更新処理により更新される。
また、記録日時情報３２は、高速記録時に使用される情報であり、通常速度にて楽曲データが記録されたとした場合の記録日時（年月日時分秒）を示す情報である。この記録日時情報３２は、後述する記録日時更新処理により更新される。
【００４８】
また、ＳＲＡＭ１１ａは、図２（ｂ）に示すようなタイムスタンプ情報テーブル３３を記憶する。このタイムスタンプ情報テーブル３３は、トラック番号及び、トラック番号に対応したタイムスタンプ情報（年月日時分秒）からなり、後述する録音処理において生成される。
なお、マイコン１１は、図示せぬ発振子（クロックジェネレータ）を備え、タイマ割り込み発生時に発振子のクロックをカウントすることにより、記録日時情報３２等が更新される。そして、この記録日時情報３２がタイムスタンプ情報としてセットされたタイムスタンプ情報テーブル３３が生成される。そして最終的に、タイムスタンプ情報テーブル３３に従って、各トラック番号に対応したタイムスタンプ情報がＭＤのＵＴＯＣに記録される。
【００４９】
また、マイコン１１は、ＣＤ用ＤＳＰ１７を制御することにより、ＣＤ用駆動ユニット１８によって駆動されるＣＤから楽曲データを再生する。
【００５０】
図１に戻って、ＭＤ用ＤＳＰ（デジタルシグナルプロセッサ）１２は、例えば、内蔵するＤＲＡＭ（ダイナミックラム）に、ＣＤ用ＤＳＰ１７から供給されたデジタル音声信号を一時的に記憶し、このデジタル音声信号を使用してｎ（ｎは１以上の整数）倍速のＭＤ音声信号のＡＴＲＡＣエンコード処理を行う。ＭＤ用ＤＳＰ１２は、ＭＤ用駆動ユニット１３を制御して、エンコード処理により生成した楽曲データをＭＤに記録する。
なお、ＭＤ用ＤＳＰ１２は、例えば録音終了時に、タイムスタンプ情報テーブルに３３に従って、各トラック番号に対応したタイムスタンプ情報をＵＴＯＣに記録する。
【００５１】
また、ＭＤ用ＤＳＰ１２は、ＭＤ用駆動ユニット１３を制御して、ＭＤに記録された楽曲データを再生する。具体的に、ＭＤ用ＤＳＰ１２は、ＡＴＲＡＣデコード処理によりＭＤからデジタル音声信号を再生する。ＭＤ用ＤＳＰ１２は、再生したデジタル音声信号をＤ／Ａ１４に供給する。
【００５２】
ＭＤ用駆動ユニット１３は、ＭＤスロットインメカ、ピックアップメカ、記録ヘッド、及びＲＦアンプ等を備える。ＭＤ用駆動ユニット１３は、ＭＤ用ＤＳＰ１２に制御され、ＭＤを駆動させ、ＭＤに楽曲データを記録し、また、ＭＤから楽曲データを再生する。
Ｄ／Ａ１４は、ＭＤ用ＤＳＰ１２から供給されたデジタル音声信号をアナログ音声信号に変換し、変換したアナログ音声信号を出力切替ＳＷ２１を介して出力する。
【００５３】
入力キー１５は、複数のキースイッチ等からなり、ユーザからの操作指示を入力してマイコン１１に供給する。例えば、入力キー１５は、録音動作を指示する「ｒｅｃキー」、動作の一時停止を指示する「ｐａｕｓｅキー」、及び、動作の終了を指示する「ｓｔｏｐキー」等を含んでおり、装置の前面に配置されている。
【００５４】
ディスプレイ１６は、蛍光表示管等からなり、記録装置の動作状況や再生トラックのトラック情報等を表示する。例えば、記録装置がＭＤを再生している際に、ディスプレイ１６は、再生トラックのタイムスタンプ情報を表示する。
【００５５】
ＣＤ用ＤＳＰ１７は、ＣＤ用駆動ユニット１８を制御することにより、ＣＤに記録された楽曲データを再生する。具体的に、ＭＤ用ＤＳＰ１２は、ｎ（ｎは１以上の整数）倍速のＣＤ音声信号のデコード処理を行い、ＣＤからデジタル音声信号を再生する。ＣＤ用ＤＳＰ１７は、再生したデジタル音声信号をＭＤ用ＤＳＰ１２及びＤ／Ａ１９に供給する。
【００５６】
ＣＤ用駆動ユニット１８は、ＣＤロードメカ、ピックアップメカ、及びＲＦアンプ等を備える。ＣＤ用駆動ユニット１８は、ＣＤ用ＤＳＰ１７に制御され、ＣＤを駆動させ、ＣＤに記録された楽曲データを再生する。
【００５７】
Ｄ／Ａ１９は、ＣＤ用ＤＳＰ１７から供給されたデジタル音声信号をアナログ音声信号に変換し、変換したアナログ音声信号を出力切替ＳＷ２１を介して出力する。
【００５８】
Ａ／Ｄ２０は、外部から供給されたアナログ音声信号をデジタル音声信号に変換し、変換したデジタル音声信号をＭＤ用ＤＳＰ１２に供給する。
【００５９】
出力切替ＳＷ２１は、マイコン１１に制御され、Ｄ／Ａ１４を介して供給されるＭＤの音声信号、又は、Ｄ／Ａ１９を介して供給されるＣＤの音声信号の何れかを選択し、図示せぬスピーカ等に向けて出力する。
【００６０】
以下、この実施の形態に係る記録装置１における録音処理について図面を参照して説明する。図３は、マイコン１１が実行する録音処理を説明するためのフローチャートである。図３に示す録音処理は、入力キー１５を介してＣＤからＭＤへの録音（ダビング等）が指示された際に開始される。
【００６１】
まず、マイコン１１は、日時情報フラグをＯＮにする（ステップＳ１１）。すなわち、最初に現在日時情報３１を記録日時情報３２にコピーさせるために使用される日時情報フラグをＯＮにする。
【００６２】
マイコン１１は、「ｒｅｃ−ｐａｕｓｅ」状態にて録音動作を一時停止する（ステップＳ１２）。すなわち、マイコン１１は、ＣＤ用ＤＳＰ１７を制御してＣＤの再生動作を一時停止状態とし、また、ＭＤ用ＤＳＰ１２を制御してＭＤの録音動作を一時停止状態とする。
【００６３】
マイコン１１は、録音動作の開始を指示する「ｒｅｃキー」が押下されたか否かを判別する（ステップＳ１３）。「ｒｅｃキー」が押下されていないと判別した場合、マイコン１１は、動作の終了を指示する「ｓｔｏｐキー」が押下されたか否かを判別する（ステップＳ１４）。
【００６４】
「ｓｔｏｐキー」が押下されていないと判別すると、マイコン１１は、ステップＳ１２に処理を戻す。一方、「ｓｔｏｐキー」が押下されたと判別すると、後述するステップＳ２３に処理を進める。
また、ステップＳ１３にて、「ｒｅｃキー」が押下されたと判別すると、マイコン１１は、日時情報フラグがＯＮであるか否かを判別する（ステップＳ１５）。
【００６５】
マイコン１１は、日時情報フラグがＯＮでないと判別した場合、後述するステップＳ１７に処理を進める。一方、日時情報フラグがＯＮであると判別した場合、マイコン１１は、現在日時情報３１の値を記録日時情報３２にコピーする（ステップＳ１６）。
【００６６】
マイコン１１は、記録日時情報３２を読み出し、読み出した記録日時情報３２をタイムスタンプ情報テーブル３３に記憶する（ステップＳ１７）。すなわち、マイコン１１は、記録日時情報３２の値をタイムスタンプ情報テーブル３３にタイムスタンプ情報として記憶する。なお、記録日時情報３２の値は、後述する記録日時更新処理により、高速記録（２倍速録音等）に対応した適切な記録日時として更新されている。
そして、マイコン１１は、ＣＤ用ＤＳＰ１７を制御して一時停止状態であったＣＤの再生動作を開始し、また、ＭＤ用ＤＳＰ１２を制御して一時停止状態であったＭＤの録音動作を開始する。例えば、予め２倍速の録音動作が指示されていた場合、マイコン１１は、ＣＤ用ＤＳＰ１７を制御してＣＤを２倍速にて再生し、また、ＭＤ用ＤＳＰ１２を制御して再生された楽曲データをＭＤに２倍速にて記録する。
【００６７】
マイコン１１は、トラック番号更新処理を行う（ステップＳ１８）。すなわち、マイコン１１は、図１３に示すようなトラック番号更新処理を行い、必要に応じてトラック番号の更新を行う。
【００６８】
マイコン１１は、トラック番号の更新の有無を判別する（ステップＳ１９）。マイコン１１は、トラック番号が更新されていないと判別した場合、後述するステップＳ２１に処理を進める。一方、トラック番号が更新されたと判別した場合、マイコン１１は、記録日時情報３２を読み出し、読み出した記録日時情報３２をタイムスタンプ情報テーブル３３にタイムスタンプ情報として記憶する（ステップＳ２０）。
【００６９】
マイコン１１は、動作の一時停止を指示する「ｐａｕｓｅキー」が押下されたか否かを判別する（ステップＳ２１）。マイコン１１は、「ｐａｕｓｅキー」が押下されたと判別した場合、ステップＳ１２に処理を戻し、上述のステップＳ１２〜Ｓ２１の処理を繰り返し実行する。一方、「ｐａｕｓｅキー」が押下されていないと判別した場合、マイコン１１は、「ｓｔｏｐキー」が押下されたか否かを判別する（ステップＳ２２）。
【００７０】
マイコン１１は、「ｓｔｏｐキー」が押下されていないと判別した場合、上述のステップＳ１８に処理を戻す。一方、「ｓｔｏｐキー」が押下されたと判別した場合、タイムスタンプ情報テーブル３３に従って、ＭＤのＵＴＯＣにスタンプ情報を記録する（ステップＳ２３）。すなわち、マイコン１１は、タイムスタンプ情報テーブル３３にセットされている高速録音に対応した適切なタイムスタンプ情報をＵＴＯＣに記録する。
【００７１】
次に、上述の録音処理と並行して行われる日時情報更新処理について図４〜図６に示すフローチャートを参照して説明する。図４に示す日時情報更新処理は、一定間隔（例えば、１０ｍｓ）毎に発生する割り込み処理により呼ばれ、その都度処理が開始される。
【００７２】
まず、マイコン１１は、カウント値に１を加算し（ステップＳ３１）、加算後のカウント値が１００となったか否かを判別する（ステップＳ３２）。すなわち、マイコン１１は、１０ｍｓ毎に呼ばれる日時情報更新処理にて１００をカウントすることにより、１秒が経過したか否かを判別する。
【００７３】
マイコン１１は、カウント値が１００でないと判別した場合、そのまま日時情報更新処理を終了する。一方、カウント値が１００であると判別した場合、マイコン１１は、カウント値をゼロクリアした後に、現在秒データが５９であるか否かを判別する（ステップＳ３３）。すなわち、マイコン１１は、現在日時情報３１の「秒」の値が「５９秒」であるか否かを判別する。
【００７４】
マイコン１１は、現在秒データが５９でないと判別した場合、現在秒データに１を加算する（ステップＳ３４）。すなわち、マイコン１１は、現在日時情報３１の「秒」の値に１を加算し、後述するステップＳ４３に処理を進める。
一方、現在秒データが５９であると判別した場合、マイコン１１は、現在秒データをゼロクリアする（ステップＳ３５）。
【００７５】
現在秒データをゼロクリアした後に、マイコン１１は、現在分データ（現在日時情報３１の「分」の値）が５９であるか否かを判別する（ステップＳ３６）。マイコン１１は、現在分データが５９でないと判別した場合、現在分データに１を加算し（ステップＳ３７）、ステップＳ４３に処理を進める。
一方、現在分データが５９であると判別した場合、マイコン１１は、現在分データをゼロクリアする（ステップＳ３８）。
【００７６】
現在分データをゼロクリアした後に、マイコン１１は、現在時データが２３であるか否かを判別する（ステップＳ３９）。マイコン１１は、現在時データが２３でないと判別した場合、現在時データに１を加算し（ステップＳ４０）、ステップＳ４３に処理を進める。
一方、現在時データが２３であると判別した場合、マイコン１１は、現在時データをゼロクリアする（ステップＳ４１）。
【００７７】
現在時データをゼロクリアした後に、マイコン１１は、現在年月日更新処理を行う（ステップＳ４２）。すなわち、マイコン１１は、図１５に示すような現在年月日更新処理を行い、現在日時情報３１の「年」、「月」、及び「日」の値を更新する。
【００７８】
現在年月日更新処理を行った後、又は、現在秒データ等の加算を行った後に、マイコン１１は、記録日時更新処理を行う（ステップＳ４３）。
すなわち、図５に示すように、マイコン１１は、記録秒データ（記録日時情報３２の「秒」の値）が５９であるか否かを判別して（ステップＳ５１）、５９でない場合に記録秒データに１を加算し（ステップＳ５２）、また、５９である場合に記録秒データをゼロクリアする（ステップＳ５３）。
【００７９】
そして、記録秒データをゼロクリアした後に、記録分データが５９であるか否かを判別して（ステップＳ５４）、５９でない場合に記録分データに１を加算し（ステップＳ５５）、また、５９である場合に記録分データをゼロクリアする（ステップＳ５６）。
更に、記録分データをゼロクリアした後に、記録時データが２３であるか否かを判別して（ステップＳ５７）、２３でない場合に記録時データに１を加算し（ステップＳ５８）、また、２３である場合に記録時データをゼロクリアする（ステップＳ５９）。
【００８０】
そして、記録時データをゼロクリアした後に、記録年月日更新処理を行う（ステップＳ６０）。すなわち、マイコン１１は、図６に示すような記録年月日更新処理を行い、記録日時情報３２の「年」、「月」、及び「日」の値を更新する。なお、図６に示す記録年月日更新処理は、図１５に示した現在年月日更新処理とほぼ同様の処理である。
【００８１】
図４に戻って、マイコン１１は、２倍速動作中であるか否かを判別する（ステップＳ４４）。すなわち、図３に示す録音処理にて高速記録（２倍速記録等）がなされているか否かを判別する。
【００８２】
マイコン１１は、２倍速動作中でないと判別した場合、日時情報更新処理を終了する。一方、２倍速動作中であると判別した場合、記録日時更新処理を行う（ステップＳ４５）。すなわち、マイコン１１は、高速記録に対応して記録日時情報３２を２倍の速度で更新するために、再度、図５に示す記録日時更新処理を行う。
【００８３】
このように上述の日時情報更新処理等により現在日時情報３１と共に、記録日時情報３２が更新される。この記録日時情報３２は、録音処理が例えば、２倍速にてなされている場合に、２倍の速度に対応して更新されている。
一方、上述の録音処理により、録音開始時やトラックの切り替わり時毎に、記録日時情報３２が参照され、タイムスタンプ情報テーブル３３に適切なタイムスタンプ情報として記憶される。そして、録音終了時等に、タイムスタンプ情報テーブル３３に従って、スタンプ情報がＵＴＯＣに記録される。
この結果、楽曲データ等を高速記録する際に、適切な日時情報を記録することができる。
【００８４】
なお、図４に示す日時情報更新処理にて、２倍速記録時における記録日時情報３２の更新について説明したが、他の速度の高速録音時においても、図５に示す記録日時更新処理を呼ぶ回数を増加させる等により適用可能である。
【００８５】
上記の実施の形態では、楽曲データを高速記録する際でも、通常速度にて記録されたとした場合の記録日時がタイムスタンプ情報として記録される場合について説明したが、ユーザが任意に選んだ日時情報がタイムスタンプ情報として記録できるようにしてもよい。
例えば、ユーザが固定日時情報を入力できるようにし、記録日時情報等の代わりに入力された固定日時情報をタイムスタンプ情報としてＵＴＯＣに記録してもよい。以下、固定日時情報を入力することができるようにした録音処理について、図７に示すフローチャートを参照して簡単に説明する。
【００８６】
図７に示すように、マイコン１１は、「ｒｅｃ−ｐａｕｓｅ」状態にて一時停止した状態で（ステップＳ７２）、最初だけ、固定日時の入力要求を表示する（ステップＳ７４）。
すなわち、マイコン１１は、図８に示すような入力要求画面をディスプレイ１６に表示する。
【００８７】
ここで、固定日時が入力された場合、ＳＲＡＭ１１ａに固定日時情報を記憶する（ステップＳ７６）。そして、録音開始時やトラック番号が更新された際に、タイムスタンプ情報テーブル３３に固定日時情報の値を記憶する（ステップＳ８１，Ｓ８６）。
そして、録音終了時に、タイムスタンプ情報テーブル３３に従って、ＵＴＯＣにタイムスタンプ情報を記録する。
【００８８】
この場合、ユーザが例えば、ＣＤの発売日に合わせた固定日時情報を入力することにより、この際記録された楽曲データのタイムスタンプ情報が、全て発売日を示す情報となる。
なお、図８に示す録音処理では、ユーザが固定日時を入力しなかった場合、現在日時がタイムスタンプ情報として記録されるが、もちろん図３に示した録音処理のように、高速記録に応じた日時情報をタイムスタンプ情報として記録できるようにしてもよい。
【００８９】
また、図８に示す録音処理では、ユーザがＣＤの発売日等の固定日時を入力したが、外部から発売日等の固定日時を取得できるようにしてもよい。図９にネットワークを介してＣＤの発売日の情報を自動的に取得することのできる記録装置の一例を示す。
図示するように、記録装置２は、図１に示す記録装置１に加えてモデム部２２を更に備える。そして、記録装置２は、ネットワーク３を介してコンテンツサーバ４と通信接続可能に構成されている。なお、コンテンツサーバ４は、市販のＣＤに関する種々の情報が記憶されたデータベースを備えており、ＣＤの発売日等の情報を与えることができる。
【００９０】
この記録装置２は、ソース源となる市販のＣＤのＩＳＲＣ（International Standard Recording Code）データを読み取る等によりＣＤを特定し、モデム部２２によりネットワーク３を介して、コンテンツサーバ４に検索を依頼する。記録装置２は、検索によりコンテンツサーバ４から供給される発売日等を含んだ情報を取得する。
そして、記録装置２は、発売日の情報を固定情報として使用して、図８に示すような録音処理によりＵＴＯＣにタイムスタンプ情報を記録する。
【００９１】
上記の実施の形態では、２倍速の高速記録にてＣＤからＭＤへ楽曲データを記録する場合について説明したが、記録速度やソース源は、任意である。例えば、３倍速や４倍速の記録速度、あるいは、１／２倍速の記録速度にて楽曲データを記録してもよい。また、ソース源を例えば、ＣＳデジタル音声放送によるデジタル信号とし、ＭＤ等に高速記録してもよい。
【００９２】
また、録音動作（記録動作）の操作方法も、上述のような「ｒｅｃキー」等の操作に限られず、任意である。例えば、１つのキー操作で、ＣＤやＣＳ放送等のソース源を特定すると共に、自動的に所定の記録速度（ｎ倍速）にて高速記録ができるようにしてもよい。
更に、楽曲データだけでなく画像（動画）データを高速記録する際にも適宜利用可能である。
【００９３】
なお、この発明の実施の形態にかかる記録装置は、専用のシステムによらず、通常のコンピュータシステムを用いて実現可能である。例えば、コンピュータに上述のいずれかを実行するためのプログラムを格納した媒体（フロッピーディスク、ＣＤ−ＲＯＭ等）から当該プログラムをインストールすることにより、上述の処理を実行する記録装置を構成することができる。
【００９４】
また、コンピュータにプログラムを供給するための手法は、任意である。例えば、通信回線、通信ネットワーク、通信システム等を介して供給してもよい。一例を挙げると、通信ネットワークの掲示板（ＢＢＳ）に当該プログラムを掲示し、これをネットワークを介して配信する。
そして、このプログラムを起動し、ＯＳの制御下で、他のアプリケーションプログラムと同様に実行することにより、上述の処理を実行することができる。
【００９５】
【発明の効果】
以上説明したように、本発明によれば、楽曲データ等を高速記録する際に、適切な日時情報を記録することができる。
【図面の簡単な説明】
【図１】本発明の実施の形態に係る記録装置の一例を示すブロック図である。
【図２】ＳＲＡＭに記録される情報の一例を示す模式図であり、（ａ）が日時情報エリアあり、（ｂ）がタイムスタンプ情報テーブルである。
【図３】本発明の実施の形態に係る録音処理を説明するためのフローチャートである。
【図４】本発明の実施の形態に係る日時情報更新処理を説明するためのフローチャートである。
【図５】本発明の実施の形態に係る記録日時更新処理を説明するためのフローチャートである。
【図６】本発明の実施の形態に係る記録年月日更新処理を説明するためのフローチャートである。
【図７】本発明の他の実施の形態に係る録音処理を説明するためのフローチャートである。
【図８】固定時間を設定する際にディスプレイに表示される入力要求画面の一例を示す模式図である。
【図９】本発明の他の実施の形態に係る記録装置の一例を示すブロック図である。
【図１０】従来の記録装置の一例を示すブロック図である。
【図１１】ＭＤのＵＴＯＣに記録されるタイムスタンプ情報の一例を示す模式図である。
【図１２】従来の記録装置が行う録音処理の一例を示すフローチャートである。
【図１３】従来の記録装置が行うトラック番号更新処理の一例を示すフローチャートである。
【図１４】従来の記録装置が行う現在日時情報更新処理の一例を示すフローチャートである。
【図１５】従来の記録装置が行う現在年月日更新処理の一例を示すフローチャートである。
【図１６】（ａ）がメモリに記録されるタイムスタンプ情報の一例を示す模式図であり、（ｂ）がＭＤのＵＴＯＣに記録されるタイムスタンプ情報の一例を示す模式図である。
【図１７】従来の記録装置のディスプレイに表示されるタイムスタンプ情報の一例を示す模式図である。
【符号の説明】
１，２  記録装置
３    ネットワーク
４    コンテンツサーバ
１１  マイコン
１２  ＭＤ用ＤＳＰ
１３  ＭＤ用駆動ユニット
１４，１９  Ｄ／Ａ
１５  入力キー
１６  ディスプレイ
１７  ＣＤ用ＤＳＰ
１８  ＣＤ用駆動ユニット
２０  Ａ／Ｄ
２１  出力切替スイッチ
２２  モデム部
【図１】
0003689778.tif 000002
【図２】
0003689778.tif 000003
【図３】
0003689778.tif 000004
【図４】
0003689778.tif 000005
【図５】
0003689778.tif 000006
【図６】
0003689778.tif 000007
【図７】
0003689778.tif 000008
【図８】
0003689778.tif 000009
【図９】
0003689778.tif 000010
【図１０】
0003689778.tif 000011
【図１１】
0003689778.tif 000012
【図１２】
0003689778.tif 000013
【図１３】
0003689778.tif 000014
【図１４】
0003689778.tif 000015
【図１５】
0003689778.tif 000016
【図１６】
0003689778.tif 000017
【図１７】
0003689778.tif 000018